(57)【要約】
【課題】　直接にナイフを動かしてテープを切ることが可能なテープホルダーのテープ切り装置を提供する。
【解決手段】テープホルダー１０の握り部１３前端に引き板３０を設け、内板１１と軸で連接させ、軸連結部の中段部に凹み溝を設けて、あて金３２を軸に貫通させて枢軸的に連接する。あて金３２の上端はテープをローラー２２の外表面を押え付け、あて金３２は捻じりばねにより弾性が与えられる。引き板３０の上方におし片を形成、滑り金の後側の垂直状壁と接触させ、滑り金はＬ字型にしてその下にナイフ２４を設け、一緒に前後にある設定の距離に移動するように、ナイフ台２３をナイフの２４下に設ける。引き板３０は推し金３６を伸ばして設け、引き板３０が軸をピボットとして少し旋回し、おし片が滑り金の垂直壁を前におして、滑り金はナイフ２４を同時に前に押し動かしてナイフ台２３から少し突き出させてテープを切り取る。
【選択図】　　図１
0003099801.tif 000002
【実用新案登録請求の範囲】
【請求項１】
　内板と、
　握り部と、
　テープ台と、
　外板と、
　引き板とで構成されるテープホルダーであって、
　前記外板の前側上部に設けられるナイフ台と、
　前記ナイフ台の上表面に設置されて前後に移動できるナイフと、
　前記ナイフの上表面に設置され、その下表面が前記ナイフと相互に嵌め合わされ前記ナイフを一緒にある設定した距離で前後移動させる滑り金と、
　前記滑り金と前記ナイフ台の間に設置されて、前記滑り金と前記ナイフとをその元の位置に引戻すばねとを備え、
　前記引き板は軸連結部と上端に形成されるおし片と前記軸連結部から下に伸びた引き金とを有し、前記内板に一端が固定されて本体が前記引き板の前記軸連結部にはまり込んでいる一本の軸で前記引き板は前記内板と組み付けられて、推し金を押えれば前記おし片により前記滑り金が前方に推して移動され、前記滑り金は前記ナイフを一緒に前方に前進させてテープが切断されることを特徴とするテープホルダーのテープ切り装置。
【請求項２】
　前記引き板と前記内板の下部に横向きに設けられる座台との間にばねを設置し、前記引き板を元の位置にその弾性で戻らせるように構成されていることを特徴とする請求項１記載のテープホルダーのテープ切り装置。
【請求項３】
　前記引き板の前記引き金はその後側面に固定突起を有し、前記座台はその前側面の中央部から前に伸びて設けられている円棒を有し、前記引き板の前記固定突起は前記座台の前記円棒は一列に並んで相向かい、ばねが前記固定突起と前記円棒にはめられて設置されていることを特徴とする請求項２記載のテープホルダーのテープ切り装置。
【請求項４】
　前記引き板の前記軸連結部はその中段部に凹み溝を形成し、あて金を前記凹み溝の中にはめこみ、前記軸に貫通させて枢軸的に連接され、更に捻じりばねを前記あて金に組み付けて前記あて金に所定の弾性を持たせ、前記あて金の前端はテープを前記外板に横向きに組み付けているローラーの外表面に押し付けていることを特徴とする請求項１記載のテープホルダーのテープ切り装置。
【請求項５】
　前記内板はその中段部にカーブ状の位置限定溝を有し、前記引き板はその外側面に位置限定突起を有し、前記引き板の前記位置限定突起は前記内板の前記位置限定溝の中にはまって動き、それで前記引き板はある限定距離内移動可能であることを特徴とする請求項１記載のテープホルダーのテープ切り装置。
【請求項６】
　前記ナイフ台の上表面には二個の固定環を有し、前記ナイフは前記ナイフ台の前記固定環と相互に向かい合う二個のスロットを有し、前記滑り金もまた前記ナイフ台の前記固定環と相互に向かい合う二個のスロットを有することで、前記滑り金は前記ナイフを一緒にある予定の距離内で移動させることを特徴とする請求項１記載のテープホルダーのテープ切り装置。
【請求項７】
　前記滑り金の下表面には下に伸びる二個のはめ突起を有し、前記ナイフは前記滑り金の前記二つのはめ突起にはめられる二つの定位孔を有し、前記ナイフ台は更に二つの滑り溝を有し、それで前記滑り金の前記はめ突起は前記定位孔にはまり込んでから更に前記ナイフ台の前記滑り溝の中にはまりこみ、前記ナイフは設定された位置の中で前後に移動可能となることを特徴とする請求項１記載のテープホルダーのテープ切り装置。
【考案の詳細な説明】
【技術分野】
【０００１】
　本考案は、テープホルダーのテープ切り装置に関する。
【背景技術】
【０００２】
　従来のテープホルダーはその握り部の上方にテープ台とテープ切り装置を備え、テープはテープ台に設置され、テープ切り装置はナイフを有し、このナイフはナイフ台の上に固定されている。両者は動かないように設置されて、片手で握り部を握り、テープホルダー全部を動かして、ナイフがテープを切るように設計されているため、直接にナイフを動かしてテープを切ることができない。
【考案の開示】
【考案が解決しようとする課題】
【０００３】
　上述の従来のテープホルダーのナイフが固定されていて動かされない欠点を改善するために、本考案の目的は、ナイフを移動可能に設置してテープホルダー全体を動かさないでナイフだけを動かし、テープを切ることが可能なテープホルダーのテープ切り装置を提供することにある。
【課題を解決するための手段】
【０００４】
　上述の目的を達成するために、本考案の請求項に記載のテープホルダーのテープ切り装置は、テープホルダーの下部の握り部の前端に引き板を設ける。この引き板は中段部に軸連結部を形成して、内板に横向きに固定されている一軸で軸連結部の中にはまってこの引き板を内板と軸で連接させる。更にこの軸連結部の中段部には凹み溝を設けて、あて金を軸に貫通させて枢軸的に連接する。このあて金の上端はテープをローラーの外表面に押え付ける。更にあて金には後側面に捻じりばねを付けてあて金にある弾性を与える。引き板の上方はおし片を形成して、滑り金の後側の垂直状壁と接触させる。この滑り金はＬ字型にしてその下にナイフを設けて、一緒に前後にある設定の距離に移動するように、ナイフ台をナイフの下に設ける。滑り金とナイフとも二個のスロットを設けて二個のねじでナイフ台に組み付ける。それで更に引き板は推し金を下方に伸びさせて設け、この引き金を押えれば引き板が軸をピボットとして少し旋回し、それで引き板の上端のおし片は滑り金の垂直壁を前におして、滑り金はナイフを同時に前に押し動かしてナイフ台から少し突き出させてテープを切り取る。又引き金を押している手指をはなせば、引き板は又ばねの弾性で元の位置に戻されて滑り金は引き板のおし片におされなくなり、やはりばねで元の位置に戻され、それでナイフも元の位置に戻り外に突き出さないようにする。
【０００５】
　（作用）
　本考案のテープ切り装置はテープを切る時にだけ引き板の引き金を押えればナイフが少し突き出てテープを切り、又引き金を手指からはなせば、ナイフはばねの弾力で元の位置に自動的に戻される。
【考案を実施するための最良の形態】
【０００６】
　以下、本考案の実施例を図面に基づいて説明する。
　図１に示すように、本実施例によるテープホルダー１０のテープ切り装置は、内板１１と、握り部１３と、テープ台１４と、外板２０と、引き板３０とで構成されている。
【０００７】
　図２に示すように、内板１１は、その底から横向きに座台１２を形成し、更にこの座台１２の下に伸びる握り部１３を形成している。座台１２の前側面には前方に伸び出る円棒１２１を設け、テープホルダー１０の後側にテープ台１４を設置して、テープをその上に置く。内板１１の前端部に二個のねじ孔１５と、はめ合せ孔１６と、カーブ状位置限定溝１７とを設け、更にその下部に横向きの軸１８を付設している。
【０００８】
　外板２０はその内側面に横向きの二本のピボット２１を持ち、この二本のピボット２１の末端はちょうど内板１１の二個のねじ孔１５と相対し、二本のねじ４０で内板１１にねじ付けられる。二本のピボット２１の中、外板２０の前側にある一本は一ローラー２２にはめ込まれて、ローラー２２がそのピボット２１により旋回可能である。更に外板２０の前側上方の内側面に横向きのナイフ台２３を固設し、このナイフ台２３は内板１１のはめ合せ孔１６にはまって固定されるはめ合せ突起２３１をその前側面に形成する。更にその上表面に各一ねじ孔２３３を有する二個の固定環２３２を一体に設け、その中央部に受け入れ溝２３４を有する。それでナイフ台２３の上表面にナイフ２４を置く。ナイフ２４はナイフ台２３の二個の固定環２３２にはまらせておく二個のスロット２４１を持ち、それでナイフ２４はナイフ台２３の上で少し前後に移動可能である。ナイフ２４は更に二個の定位孔２４２を設けている。ナイフ２４の上にはＬ字型の滑り金２５を重ねて置き、この滑り金２５は二つの固定環２３２にはまらせる二つのスロット２５１を有し、更にその下表面に二個の下向きはまり突起２５２を有し、このはまり突起２５２はナイフ２４の定位孔２４２にはまり込んで、それで滑り金２５はナイフ２４を一緒に動かすことが可能である。
【０００９】
　次に滑り金２５の後側は垂直の下向きの推し壁２５３を形成する。この推し壁２５３の内側面に横向きの突起２５４を有し、この突起２５４はばね２５５の一端にはまり込む。又ばね２５５の別端はナイフ台２３の受け入れ溝２３４の中に固定される。滑り金２５の上表面には更にややＬ字型板２６を設置し、このＬ字型板２６はその下部に水平板部２６１を形成し、この水平板部２６１は二円孔２６２を持ち、二ねじ４１がこの二円孔２６２を通過したあと、滑り金２５の二スロット２５１とナイフ２４の二スロット２４１を貫通してナイフ台２３の二固定環２３２のねじ孔２３３と固くねじ付けられて、Ｌ字型板２６はナイフ台２３と固設され、それで滑り金２５とナイフ２４がその中間に挟まれた形になっている。
【００１０】
　次に図２と図３に示すように、握り部１３はその前方に引き板３０が設けられ、この引き板３０はその中央部に軸連結部３１を持ち、この軸連結部３１は軸１８がその中央軸孔に差し込まれ、ねじ４２で軸１８の外末端にねじ込まれて、軸１８が軸連結部３１と連接される。更に軸連結部３１はその中段部に凹み溝３１１を形成し、この凹み溝３１１の中にあて板３２を枢軸的に連結し、且つ捻じりばね３３をあて板３２の後側に組み付けて、あて板３２に弾性を供与する。あて板３２の前端はテープをローラー２２の外表面に押さえつける。更に引き板３０はその上端におし片３４を設けて滑り金２５の推し壁２５３と接触し、滑り金２５を前におし滑らせて移動させ、同時にナイフ２４を同時に前に移動させてテープを切られるようにしている。引き板３０は又横向きの位置限定突起３５を左側面に設け、この位置限定突起３５は内板１１の位置限定溝１７とはまり合う。更に引き板３０は下方に伸び出た推し金３６を形成し、この推し金３６の後側面に座台１２の円棒１２１と一列に並ぶ横向き突起３６１を設けて、ばね３７の一端に差し込む。
【００１１】
　次に本実施例による各部分の組合せと作動を説明する。先ず図４と図５に示すように、引き板３０の軸連結部３１と軸１８とを連結すると、使用者は押し金３６を押え付ければ、引き板３０は軸１８で旋回し、その上端のおし片３４は前に進み滑り金２５を前方におし動かす。それでナイフ２４も一緒に前進しテープを切る。内板１１の位置限定溝１７は引き板３０の位置限定突起３５の移動距離を限定し、それで滑り金２５の前進距離も滑り溝２３５とスロット２４１とスロット２５１に制限されて、テープの精確又安全な切り取り作業を行うことが可能である。
【００１２】
　更に図５に示すように、ナイフ２４のテープが切り動作を完了したら、推し金３６の押え付けをはなせば、引き板３０はばね３７の弾力回復により元の位置に戻される。従って滑り金２５はおし片３４の押さえから解放され、ばね２５５の弾力回復で元の位置に戻され、それでナイフ２４もナイフ台２３の中に引戻される。これにより使用者の手指の傷害を防止で、テープホルダーの操作の安全性を確保する。
【００１３】
　本考案の実施例による引き板３０の凹み溝３１１はあて板３２をその中に設置し、又あて板３２は捻じりばね３３の作用でテープをローラー２２の表面に弾性的に押え付けているのでテープが逆戻りしたり又は落ちることを防止可能である。
【００１４】
　本考案は従来のテープホルダーのようにテープを切る時にホルダー全体を動かす必要がなく、ただその推し金を押えるだけでテープを切る便利があり、又ナイフはテープを切る時にだけテープ台から突き出るので使用が安全である。
【図面の簡単な説明】
【００１５】
【図１】本考案の一実施例によるテープホルダーのテープ切り装置を示す斜視図である。
【図２】本考案の一実施例によるテープホルダーのテープ切り装置を示す分解斜視図である。
【図３】本実施例の中の引き板を示す斜視図である。
【図４】本実施例の中のナイフが未だ伸び出ていない状態を示す側面図である。
【図５】本実施例の中のナイフが伸び出ている状態を示す側面図である。
【符号の説明】
【００１６】
　１０　テープホルダー、１１　内板、１２　座台、１２１　円棒、１３　握り部、１４　テープ台、１５　ねじ孔、１６　はめ合せ孔、１７　位置限定溝、１８　軸、２０　外板、２１　ピボット、２２　ローラー、２３　ナイフ台、２４　ナイフ、２５　滑り金、２６　Ｌ字型板、３０　引き板、３１　軸連結部、３２　あて金、３３　捻じりばね、３４　おし片、３５　位置限定突起、３６　推し金、３６１　固定突起、３７　ばね、４０　ねじ、４１　ねじ、４２　ねじ、２３１　はめ合せ突起、２３２　固定環、２３３　ねじ孔、２３４　受け入れ溝、２３５　滑り溝、２４１　スロット、２４２　定位孔、２５１　滑り孔、２５２　はまり突起、２５３　推し壁、２５４　突起、２５５　ばね、２６１　支え板、２６２　円孔、３１１　凹み溝、
【図１】
0003099801.tif 000003
【図２】
0003099801.tif 000004
【図３】
0003099801.tif 000005
【図４】
0003099801.tif 000006
【図５】
0003099801.tif 000007